【手続補正書】
【提出日】平成29年4月26日(2017.4.26)
【手続補正１】
【補正対象書類名】明細書
【補正対象項目名】発明の名称
【補正方法】変更
【補正の内容】
【発明の名称】鍵盤楽器の回動部品の軸支構造、及びアクション機構
【手続補正２】
【補正対象書類名】明細書
【補正対象項目名】０００１
【補正方法】変更
【補正の内容】
【０００１】
本発明は、鍵盤楽器の回動部品の軸支構造、及びアクション機構に関する。
【手続補正３】
【補正対象書類名】明細書
【補正対象項目名】０００２
【補正方法】変更
【補正の内容】
【０００２】
鍵盤楽器においては、下記特許文献１の鍵盤楽器に示されるように、多数の箇所において回動部品が支持部に軸支され、演奏等の操作に伴い回動部品が回動する。回動部品としては、例えば、ハンマアクション機構において、サポート本体とジャックとの関係、バットフレンジとバットとの関係において、一方が支持部で他方が回動部品として把握できる。ハンマアクション機構に限られず、ダンパレバーフレンジとダンパレバー等においても同様の関係が成立する。
【手続補正４】
【補正対象書類名】明細書
【補正対象項目名】０００９
【補正方法】変更
【補正の内容】
【０００９】
本発明は上記従来技術の問題を解決するためになされたものであり、その目的は、軸支の精度を高くすると共に、組み付け作業性を向上させることができる鍵盤楽器の回動部品の軸支構造、及びアクション機構を提供することにある。
【手続補正５】
【補正対象書類名】明細書
【補正対象項目名】００１２
【補正方法】変更
【補正の内容】
【００１２】
本発明によれば、軸支の精度を高くすると共に、組み付け作業性を向上させることができる。
【手続補正６】
【補正対象書類名】特許請求の範囲
【補正対象項目名】全文
【補正方法】変更
【補正の内容】
【特許請求の範囲】
【請求項１】
互いに対向して二股状に延設された一対の支持片を有し、前記一対の支持片の間で回動部品が回動軸を中心に回動自在なように前記支持片に組み付けられる鍵盤楽器の回動部品の軸支構造であって、
前記支持片及び前記回動部品のいずれか一方に第１の機構部が構成されると共にいずれか他方に第２の機構部が構成され、前記支持片に前記回動部品を組み付けると、前記第１の機構部と前記第２の機構部との係合によって前記回動部品が前記支持片に対して回動自在となるよう構成され、
前記第１の機構部には、凹状のガイド部が形成されると共に、前記ガイド部内に、前記回動軸が嵌入される軸支穴が形成され、
前記第２の機構部には、前記回動軸が設けられ、
前記軸支穴に前記回動軸が嵌入されることで、前記軸支穴に対して前記回動軸が回動自在になることを特徴とする鍵盤楽器の回動部品の軸支構造。
【請求項２】
前記支持片に前記回動部品を組み付ける際、前記支持片の材料が塑性変形しない程度の弾性変形域で外力が付加されることで前記一対の支持片の間隔が開いた状態で前記回動軸が前記ガイド部に相対的にガイドされ、前記軸支穴と前記回動軸との位置が一致すると、前記軸支穴に前記回動軸が嵌入されることで、前記一対の支持片の間隔が開いた状態が解消されると共に前記軸支穴に対して前記回動軸が回動自在になることを特徴とする請求項１記載の鍵盤楽器の回動部品の軸支構造。
【請求項３】
前記第２の機構部において、前記回動軸には介装部材が前記回動軸に対して回動自在に装着され、前記支持片に前記回動部品を組み付ける際、前記介装部材が前記回動軸に装着された状態で前記回動軸が前記ガイド部に相対的にガイドされ、前記軸支穴に前記回動軸が嵌入されると、前記介装部材の少なくとも一部分が前記ガイド部に収容されることを特徴とする請求項１または２記載の鍵盤楽器の回動部品の軸支構造。
【請求項４】
前記介装部材には、切り欠き部が形成されると共に、前記ガイド部には前記切り欠き部に対応する形状の係合部が形成され、前記軸支穴に前記回動軸が嵌入される際、前記切り欠き部と前記係合部とが対向するように、前記回動軸を中心とした前記介装部材の回動方向の位置を合わせ、前記軸支穴に前記回動軸が嵌入されたとき、前記切り欠き部と前記係合部とが係合することで、前記ガイド部に対する前記介装部材の、前記回動軸を中心とした回動方向の位置が規制されることを特徴とする請求項３記載の鍵盤楽器の回動部品の軸支構造。
【請求項５】
互いに対向して二股状に延設された一対の支持片の間で回動軸を中心に回動自在に前記支持片に組み付け可能な回動部品を有し、
前記支持片及び前記回動部品のいずれか一方に第１の機構部が構成されると共にいずれか他方に第２の機構部が構成され、前記支持片に前記回動部品が組み付けられた状態では、前記第１の機構部と前記第２の機構部との係合によって前記回動部品が前記支持片に対して回動自在となるよう構成され、
前記第１の機構部には、凹状のガイド部が形成されると共に、前記ガイド部内に、前記回動軸が嵌入される軸支穴が形成され、
前記第２の機構部には、前記回動軸が設けられ、
前記軸支穴に前記回動軸が嵌入された状態では、前記軸支穴に対して前記回動軸が回動自在であることを特徴とする鍵盤楽器の回動部品の軸支構造。
【請求項６】
前記支持片に前記回動部品が組み付けられる際、前記支持片の材料が塑性変形しない程度の弾性変形域で外力が付加されることで前記一対の支持片の間隔が開いた状態で前記回動軸が前記ガイド部に相対的にガイドされ、前記軸支穴と前記回動軸との位置が一致して前記軸支穴に前記回動軸が嵌入された状態では、前記一対の支持片の間隔が開いた状態が解消されると共に前記軸支穴に対して前記回動軸が回動自在であることを特徴とする請求項５記載の鍵盤楽器の回動部品の軸支構造。
【請求項７】
前記第２の機構部において、前記回動軸には介装部材が前記回動軸に対して回動自在に装着され、前記支持片に前記回動部品が組み付けられる際、前記介装部材が前記回動軸に装着された状態で前記回動軸が前記ガイド部に相対的にガイドされ、前記軸支穴に前記回動軸が嵌入された状態では、前記介装部材の少なくとも一部分が前記ガイド部に収容されることを特徴とする請求項５または６記載の鍵盤楽器の回動部品の軸支構造。
【請求項８】
前記介装部材には、切り欠き部が形成されると共に、前記ガイド部には前記切り欠き部に対応する形状の係合部が形成され、前記軸支穴に前記回動軸が嵌入される際、前記切り欠き部と前記係合部とが対向するように、前記回動軸を中心とした前記介装部材の回動方向の位置が合わせられて、前記軸支穴に前記回動軸が嵌入された状態では、前記切り欠き部と前記係合部との係合によって、前記ガイド部に対する前記介装部材の、前記回動軸を中心とした回動方向の位置が規制されることを特徴とする請求項７記載の鍵盤楽器の回動部品の軸支構造。
【請求項９】
鍵の動作が伝達されて回動するハンマを少なくとも含み、前記鍵の動作により回動する少なくとも１つの回動部品であって、互いに対向して二股状に延設された一対の支持片の間で回動軸を中心に回動自在に前記支持片に組み付け可能な回動部品を有し、
前記支持片及び前記回動部品のいずれか一方に第１の機構部が構成されると共にいずれか他方に第２の機構部が構成され、前記支持片に前記回動部品が組み付けられた状態では、前記第１の機構部と前記第２の機構部との係合によって前記回動部品が前記支持片に対して回動自在となるよう構成され、
前記第１の機構部には、凹状のガイド部が形成されると共に、前記ガイド部内に、前記回動軸が嵌入される軸支穴が形成され、
前記第２の機構部には、前記回動軸が設けられ、
前記軸支穴に前記回動軸が嵌入された状態では、前記軸支穴に対して前記回動軸が回動自在であることを特徴とする鍵盤楽器のアクション機構。